(57)【要約】【課題】入力電圧に対する出力電圧の比が小さい場合でも電流帰還が可能な電流モード制御型スイッチング電源装置を提供する。【解決手段】スイッチング電源装置１０１は、上側ＭＯＳトランジスタＱ１（第１スイッチ）と、下側ＭＯＳトランジスタＱ２（第２スイッチ）と、第２スイッチを流れる電流を検出する電流検出回路４と、電流検出回路４によって検出された電流に応じて第１及び第２スイッチを制御する制御部と、を備える。前記制御部は、スイッチング電源装置１０１の出力電圧に応じた電圧と基準電圧との誤差を増幅するエラーアンプ２を備え、第２スイッチを流れる電流に基づいたスロープ電圧と、エラーアンプ２の出力電圧とを比較して第１スイッチのオフタイミングを制御する。【選択図】図１
2018088829.tif 000002
【特許請求の範囲】
【請求項１】
第１端が入力電圧の印加端に接続された第１スイッチと、
第１端が前記第１スイッチの第２端に接続されて第２端が前記入力電圧よりも低い電圧の印加端に接続された第２スイッチと、
前記第２スイッチを流れる電流を検出する電流検出部と、
前記電流検出部によって検出された電流に応じて前記第１スイッチ及び前記第２スイッチを制御する制御部と、
を備える電流モード制御型スイッチング電源装置であって、
前記制御部は、
前記電流モード制御型スイッチング電源装置の出力電圧に応じた電圧と基準電圧との誤差を増幅するエラーアンプを備え、
前記第２スイッチを流れる電流に基づいたスロープ電圧と、前記エラーアンプの出力電圧とを比較して前記第１スイッチのオフタイミングを制御することを特徴とする電流モード制御型スイッチング電源装置。
【請求項２】
前記制御部は、
前記スロープ電圧と前記エラーアンプの出力電圧とを比較して比較信号であるリセット信号を生成するコンパレータと、
所定周波数のクロック信号であるセット信号を生成するオシレータと、
前記セット信号と前記リセット信号に応じて前記第１スイッチのオン／オフ及び前記第２スイッチのオン／オフを制御するタイミング制御回路と、
を有する請求項１に記載の電流モード制御型スイッチング電源装置。
【請求項３】
前記第２スイッチがＭＯＳトランジスタであって、
前記電流検出部が前記ＭＯＳトランジスタのオン抵抗の両端電圧を用いて前記第２スイッチを流れる電流を検出する請求項１又は請求項２に記載の電流モード制御型スイッチング電源装置。
【請求項４】
第１端が入力電圧の印加端に接続された第１スイッチ、及び、第１端が前記第１スイッチの第２端に接続されて第２端が前記入力電圧よりも低い電圧の印加端に接続された第２スイッチを制御する制御部と、
前記第２スイッチを流れる電流を検出する電流検出部と、
を備え、
前記制御部は、
電流モード制御型スイッチング電源装置の出力電圧に応じた電圧と基準電圧との誤差を増幅するエラーアンプを備え、
前記第２スイッチを流れる電流に基づいたスロープ電圧と、前記エラーアンプの出力電圧とを比較して前記第１スイッチのオフタイミングを制御することを特徴とするＩＣ。
【請求項５】
請求項１〜請求項３のいずれか一項に記載の電流モード制御型スイッチング電源装置又は請求項４に記載のＩＣを備えることを特徴とする車載機器。
【請求項６】
請求項５に記載の車載機器と、
前記車載機器に電力を供給するバッテリと、
を備えることを特徴とする車両。
【発明の詳細な説明】
【技術分野】
【０００１】
本発明は、入力電圧を降圧する降圧動作を行うことができる電流モード制御型スイッチング電源装置に関する。
【背景技術】
【０００２】
スイッチング電源装置の制御方式は電圧モード制御と電流モード制御に大別できる。電流モード制御は、一般的に位相補償の簡易化、高速応答、外付け部品点数削減の面で極めて有効な制御方式である。電流モード制御型スイッチング電源装置の従来例を図１４に示す。
【先行技術文献】
【特許文献】
【０００３】
【特許文献１】特開２０１０−２２０３５５号公報
【発明の概要】
【発明が解決しようとする課題】
【０００４】
図１４に示すスイッチング電源装置１００は、上側ＭＯＳ［metal oxide semiconductor］トランジスタＱ１を流れる電流を検出して電流モード制御を実行する。電流モード制御に従って上側ＭＯＳトランジスタＱ１と下側ＭＯＳトランジスタＱ２は相補的にオン／オフし、このスイッチング動作によって入力電圧ＶＩＮがパルス状のスイッチ電圧ＶＳＷに変換される。そして、そのスイッチ電圧ＶＳＷがインダクタＬ１及び出力コンデンサＣ１によって平滑化されて入力電圧ＶＩＮよりも低い出力電圧ＶＯＵＴに変換される。
【０００５】
上側ＭＯＳトランジスタＱ１を流れる電流を検出して電流モード制御を実行する場合、電流帰還部分が入力電圧とスイッチ電圧との差（ＶＩＮ−ＶＳＷ）に相当するため、電流検出回路が入力電圧ＶＩＮ基準として検出電流の情報を生成することになり、内部電源電圧を基準としてスロープ電圧ＶＳＬＰを生成するスロープ回路に伝達すると、上側ＭＯＳトランジスタＱ１がオンになってからスロープ電圧ＶＳＬＰに電流情報が伝達されるまでに図１５に示すように遅延時間Ｄが生じる。
【０００６】
また電流帰還部分が入力電圧とスイッチ電圧との差（ＶＩＮ−ＶＳＷ）に相当するため、スイッチ電圧ＶＳＷの立ち上がりなどにノイズがのると、そのノイズがそのまま伝達されてスロープ電圧ＶＳＬＰに反映されてしまう。
【０００７】
そして、スイッチ電圧ＶＳＷのパルス幅が細くなると、上記の遅延時間およびノイズが支配的になり、電流帰還ができなくなるという問題が生じる。
【０００８】
なお、特許文献１で開示されている電流モード制御型スイッチング電源装置も、図１４に示すスイッチング電源装置１００と同様に、上側スイッチング素子を流れる電流を検出して電流モード制御を実行しているので、同様の問題を有している。
【０００９】
本発明は、上記の状況に鑑み、入力電圧に対する出力電圧の比が小さい場合でも電流帰還が可能な電流モード制御型スイッチング電源装置を提供することを目的とする。
【課題を解決するための手段】
【００１０】
＜第１の技術的特徴＞
本明細書中に開示されている電流モード制御型スイッチング電源装置のうち、第１の技術的特徴を備えた電流モード制御型スイッチング電源装置は、第１端が入力電圧の印加端に接続された第１スイッチと、第１端が前記第１スイッチの第２端に接続されて第２端が前記入力電圧よりも低い電圧の印加端に接続された第２スイッチと、前記第２スイッチを流れる電流を検出する電流検出部と、前記電流検出部によって検出された電流に応じて前記第１スイッチ及び前記第２スイッチを制御する制御部と、を備え、前記制御部は、前記第１スイッチがオフ状態である間の所定期間に前記電流検出部によって検出された電流の情報を蓄積して、蓄積された電流の情報に基づいたスロープ電圧を生成するスロープ電圧生成部を有し、前記スロープ電圧に応じて前記第１スイッチ及び前記第２スイッチを制御する構成（第１−１の構成）である。
【００１１】
また上記第１−１の構成の電流モード制御型スイッチング電源装置において、前記電流検出部は、前記第２スイッチを流れる電流に応じた電圧を電流に変換する電圧電流変換回路であって、前記スロープ電圧生成部は、前記電圧電流変換回路の出力電流を充電するコンデンサを有する構成（第１−２の構成）にするとよい。
【００１２】
また上記第１−２の構成の電流モード制御型スイッチング電源装置において、前記スロープ電圧生成部は、前記電圧電流変換回路の出力端から前記コンデンサに至る電流経路を導通／遮断する充電用スイッチをさらに有する構成（第１−３の構成）にするとよい。
【００１３】
また上記第１−２または第１−３の構成の電流モード制御型スイッチング電源装置において、前記スロープ電圧生成部は、前記コンデンサを放電させて前記コンデンサの充電電圧をリセットするリセット部を有する構成（第１−４の構成）にするとよい。
【００１４】
また上記第１−１〜第１−４いずれかの構成の電流モード制御型スイッチング電源装置において、前記制御部は、前記電流モード制御型スイッチング電源装置の出力電圧に応じた電圧と基準電圧との差分に応じた誤差信号を生成するエラーアンプと、前記スロープ電圧と前記誤差信号を比較して比較信号であるリセット信号を生成するコンパレータと、所定周波数のクロック信号であるセット信号を生成するオシレータと、前記セット信号と前記リセット信号に応じて前記第１スイッチのオン／オフ及び前記第２スイッチのオン／オフを制御するタイミング制御回路と、を有する構成（第１−５の構成）にするとよい。
【００１５】
また上記第１−１〜第１−５いずれかの構成の電流モード制御型スイッチング電源装置において、前記第２スイッチがＭＯＳトランジスタであって、前記電流検出部が前記ＭＯＳトランジスタのオン抵抗の両端電圧を用いて前記第２スイッチを流れる電流を検出する構成（第１−６の構成）にするとよい。
【００１６】
また、本明細書中に開示されている車載機器のうち、第１の技術的特徴を備えた車載機器は、第１−１〜第１−６いずれかの構成の電流モード制御型スイッチング電源装置を備える構成（第１−７の構成）である。
【００１７】
また、本明細書中に開示されている車両のうち、第１の技術的特徴を備えた車両は、第１−７の構成の車載機器と、前記車載機器に電力を供給するバッテリを備える構成（第１−８の構成）である。
【００１８】
＜第２の技術的特徴＞
本明細書中に開示されている電流モード制御型スイッチング電源装置のうち、第２の技術的特徴を備えた電流モード制御型スイッチング電源装置は、第１端が入力電圧の印加端に接続された第１スイッチと、第１端が前記第１スイッチの第２端に接続されて第２端が前記入力電圧よりも低い電圧の印加端に接続された第２スイッチと、前記第２スイッチを流れる電流を検出する電流検出部と、前記電流検出部によって検出された電流に応じて前記第１スイッチ及び前記第２スイッチを制御する制御部と、を備え、前記制御部は、前記第１スイッチがオフ状態である間の所定期間に前記電流検出部によって検出された電流の情報を蓄積する蓄積部と、第１スイッチがオフからオンに切り替わる前に前記蓄積部によって蓄積された電流の情報の伝達を開始して前記蓄積部によって蓄積された電流の情報をスロープ電圧に反映させる反映部と、を有し、前記スロープ電圧に応じて前記第１スイッチ及び前記第２スイッチを制御する構成（第２−１の構成）である。
【００１９】
また上記第２−１の構成の電流モード制御型スイッチング電源装置において、前記蓄積部と前記反映部は互いに同一の電源電圧によって駆動する回路である構成（第２−１の構成）にするとよい。
【００２０】
また上記第２−１または第２−２の構成の電流モード制御型スイッチング電源装置において、前記電流検出部は、前記第２スイッチを流れる電流に応じた電圧を電流に変換する電圧電流変換回路であって、前記蓄積部は、前記電圧電流変換回路の出力電流を充電するコンデンサを有し、前記反映部は、前記コンデンサの充電電圧を前記スロープ電圧に反映させる構成（第２−３の構成）にするとよい。
【００２１】
また上記第２−３の構成の電流モード制御型スイッチング電源装置において、前記蓄積部は、前記電圧電流変換回路の出力端から前記コンデンサに至る電流経路を導通／遮断する充電用スイッチをさらに有する構成（第２−４の構成）にするとよい。
【００２２】
また上記第２−４の構成の電流モード制御型スイッチング電源装置において、前記蓄積部は、前記第１スイッチがオンからオフに切り替わった直後に設けられるデッドタイムの終了時に前記充電用スイッチをオフからオンに切り替え、前記第２スイッチがオンからオフに切り替わった直後に設けられるデッドタイムの開始時に前記充電用スイッチをオンからオフに切り替える構成（第２−５の構成）にするとよい。
【００２３】
また上記第２−３〜第２−５いずれかの構成の電流モード制御型スイッチング電源装置において、前記蓄積部は、前記コンデンサを放電させて前記コンデンサの充電電圧をリセットするリセット部を有する構成（第２−６の構成）にするとよい。
【００２４】
また上記第２−１〜第２−６いずれかの構成の電流モード制御型スイッチング電源装置において、前記制御部は、前記電流モード制御型スイッチング電源装置の出力電圧に応じた電圧と基準電圧との差分に応じた誤差信号を生成するエラーアンプと、前記スロープ電圧と前記誤差信号を比較して比較信号であるリセット信号を生成するコンパレータと、所定周波数のクロック信号であるセット信号を生成するオシレータと、前記セット信号と前記リセット信号に応じて前記第１スイッチのオン／オフ及び前記第２スイッチのオン／オフを制御するタイミング制御回路と、を有する構成（第２−７の構成）にするとよい。
【００２５】
また上記第２−１〜第２−７いずれかの構成の電流モード制御型スイッチング電源装置において、前記第２スイッチがＭＯＳトランジスタであって、前記電流検出部が前記ＭＯＳトランジスタのオン抵抗の両端電圧を用いて前記第２スイッチを流れる電流を検出する構成（第２−８の構成）にするとよい。
【００２６】
また、本明細書中に開示されている車載機器のうち、第２の技術的特徴を備えた車載機器は、第２−１〜第２−８いずれかの構成の電流モード制御型スイッチング電源装置を備える構成（第２−９の構成）である。
【００２７】
また、本明細書中に開示されている車両のうち、第２の技術的特徴を備えた車両は、第２−９の構成の車載機器と、前記車載機器に電力を供給するバッテリを備える構成（第２−１０の構成）である。
【００２８】
＜第３の技術的特徴＞
本明細書中に開示されている電流モード制御型スイッチング電源装置のうち、第３の技術的特徴を備えた電流モード制御型スイッチング電源装置は、第１端が入力電圧の印加端に接続された第１スイッチと、第１端が前記第１スイッチの第２端に接続されて第２端が前記入力電圧よりも低い電圧の印加端に接続された第２スイッチと、前記第２スイッチを流れる電流を検出する電流検出部と、前記電流検出部によって検出された電流に応じて前記第１スイッチ及び前記第２スイッチを制御する制御部と、を備え、前記制御部は、前記第１スイッチがオフ状態である間の一定時間に前記電流検出部によって検出された電流の情報を蓄積する蓄積部と、前記蓄積部によって蓄積された電流の情報をスロープ電圧に反映させる反映部と、を有し、前記スロープ電圧に応じて前記第１スイッチ及び前記第２スイッチを制御する構成（第３−１の構成）である。
【００２９】
また上記第３−１の構成の電流モード制御型スイッチング電源装置において、前記制御部は、前記電流モード制御型スイッチング電源装置の出力電圧に応じた電圧と基準電圧との差分に応じた誤差信号を生成するエラーアンプと、前記スロープ電圧と前記誤差信号を比較して比較信号であるリセット信号を生成するコンパレータと、所定周波数のクロック信号であるセット信号を生成するオシレータと、前記セット信号と前記リセット信号に応じて前記第１スイッチのオン／オフ及び前記第２スイッチのオン／オフを制御するタイミング制御回路と、を有し、前記一定時間は前記セット信号のハイレベル期間内に設けられる構成（第３−２の構成）にするとよい。
【００３０】
また上記第３−２の構成の電流モード制御型スイッチング電源装置において、前記タイミング制御回路は、前記セット信号のハイレベルからローレベルへの切り替わり時に、前記第１スイッチをオンにし、前記リセット信号のローレベルからハイレベルへの切り替わり時に、前記第１スイッチをオフにし、且つ、前記セット信号のローレベルからハイレベルへの切り替わり時に、前記リセット信号のレベル遷移状態にかかわらず、強制的に前記第１スイッチをオフにし、前記第２スイッチをオンにする構成（第３−３の構成）にするとよい。
【００３１】
また上記第３−１〜第３−３いずれかの構成の電流モード制御型スイッチング電源装置において、前記蓄積部と前記反映部は互いに同一の電源電圧によって駆動する回路である構成（第３−４の構成）にするとよい。
【００３２】
また上記第３−１〜第３−４いずれかの構成の電流モード制御型スイッチング電源装置において、前記電流検出部は、前記第２スイッチを流れる電流に応じた電圧を電流に変換する電圧電流変換回路であって、前記蓄積部は、前記電圧電流変換回路の出力電流を充電するコンデンサを有し、前記反映部は、前記コンデンサの充電電圧を前記スロープ電圧に反映させる構成（第３−５の構成）にするとよい。
【００３３】
また上記第３−５の構成の電流モード制御型スイッチング電源装置において、前記蓄積部は、前記電圧電流変換回路の出力端から前記コンデンサに至る電流経路を導通／遮断する充電用スイッチをさらに有する構成（第３−６の構成）にするとよい。
【００３４】
また上記第３−５または第３−６の構成の電流モード制御型スイッチング電源装置において、前記蓄積部は、前記コンデンサを放電させて前記コンデンサの充電電圧をリセットするリセット部を有する構成（第３−７の構成）にするとよい。
【００３５】
また上記第３−１〜第３−７いずれかの構成の電流モード制御型スイッチング電源装置において、前記反映部は、第１スイッチがオフからオンに切り替わる前に前記蓄積部によって蓄積された電流の情報の伝達を開始して前記蓄積部によって蓄積された電流の情報を前記スロープ電圧に反映させる構成（第３−８の構成）にするとよい。
【００３６】
また上記第３−１〜第３−８いずれかの構成の電流モード制御型スイッチング電源装置において、前記第２スイッチがＭＯＳトランジスタであって、前記電流検出部が前記ＭＯＳトランジスタのオン抵抗の両端電圧を用いて前記第２スイッチを流れる電流を検出する構成（第３−９の構成）にするとよい。
【００３７】
また、本明細書中に開示されている車載機器のうち、第３の技術的特徴を備えた車載機器は、第３−１〜第３−９いずれかの構成の電流モード制御型スイッチング電源装置を備える構成（第３−１０の構成）である。
【００３８】
また、本明細書中に開示されている車両のうち、第３の技術的特徴を備えた車両は、第３−１０の構成の車載機器と、前記車載機器に電力を供給するバッテリを備える構成（第３−１１の構成）である。
【００３９】
＜第４の技術的特徴＞
本明細書中に開示されている電流モード制御型スイッチング電源装置のうち、第４の技術的特徴を備えた電流モード制御型スイッチング電源装置は、第１端が入力電圧の印加端に接続された第１スイッチと、第１端が前記第１スイッチの第２端に接続されて第２端が前記入力電圧よりも低い電圧の印加端に接続された第２スイッチと、前記第２スイッチを流れる電流を検出する電流検出部と、前記第１スイッチ及び前記第２スイッチを制御する制御部と、を備え、前記制御部は、前記入力電圧に対する出力電圧の比が所定値以下である場合に、前記電流検出部によって検出された電流に応じて前記第１スイッチ及び前記第２スイッチを制御し、前記入力電圧に対する前記出力電圧の比が前記所定値以下でない場合に、前記電流検出部によって検出された電流に依存せずに前記第１スイッチ及び前記第２スイッチを制御する構成（第４−１の構成）である。
【００４０】
また上記第４−１の構成の電流モード制御型スイッチング電源装置において、前記第１スイッチを流れる電流を検出する第１スイッチ用電流検出部をさらに備え、前記制御部は、前記入力電圧に対する出力電圧の比が所定値以下でない場合に、前記第１スイッチ用電流検出部によって検出された電流に応じて前記第１スイッチ及び前記第２スイッチを制御する構成（第４−２の構成）にするとよい。
【００４１】
また上記第４−１または第４−２の構成の電流モード制御型スイッチング電源装置において、前記制御部は、前記入力電圧に対する前記出力電圧の比が所定値以下である場合に、前記第１スイッチがオフ状態である間の所定期間に前記電流検出部によって検出された電流の情報を蓄積して、蓄積された電流の情報に基づいたスロープ電圧を生成するスロープ電圧生成部を有し、前記入力電圧に対する前記出力電圧の比が所定値以下である場合に、前記スロープ電圧に応じて前記第１スイッチ及び前記第２スイッチを制御する構成（第４−３の構成）にするとよい。
【００４２】
また上記第４−３の構成の電流モード制御型スイッチング電源装置において、前記電流検出部は、前記第２スイッチを流れる電流に応じた電圧を電流に変換する電圧電流変換回路であって、前記スロープ電圧生成部は、前記電圧電流変換回路の出力電流を充電するコンデンサを有する構成（第４−４の構成）にするとよい。
【００４３】
また上記第４−４の構成の電流モード制御型スイッチング電源装置において、前記スロープ電圧生成部は、前記電圧電流変換回路の出力端から前記コンデンサに至る電流経路を導通／遮断する充電用スイッチをさらに有する構成（第４−５の構成）にするとよい。
【００４４】
また上記第４−４または第４−５の構成の電流モード制御型スイッチング電源装置において、前記スロープ電圧生成部は、前記コンデンサを放電させて前記コンデンサの充電電圧をリセットするリセット部を有する構成（第４−６の構成）にするとよい。
【００４５】
また上記第４−３〜第４−６いずれかの構成の電流モード制御型スイッチング電源装置において、前記制御部は、前記出力電圧に応じた電圧と基準電圧との差分に応じた誤差信号を生成するエラーアンプと、前記スロープ電圧と前記誤差信号を比較して比較信号であるリセット信号を生成するコンパレータと、所定周波数のクロック信号であるセット信号を生成するオシレータと、前記セット信号と前記リセット信号に応じて前記第１スイッチのオン／オフ及び前記第２スイッチのオン／オフを制御するタイミング制御回路と、を有する構成（第４−７の構成）にするとよい。
【００４６】
また上記第４−１〜第４−７いずれかの構成の電流モード制御型スイッチング電源装置において、前記第２スイッチがＭＯＳトランジスタであって、前記電流検出部が前記ＭＯＳトランジスタのオン抵抗の両端電圧を用いて前記第２スイッチを流れる電流を検出する構成（第４−８の構成）にするとよい。
【００４７】
また、本明細書中に開示されている車載機器のうち、第４の技術的特徴を備えた車載機器は、第４−１〜第４−８いずれかの構成の電流モード制御型スイッチング電源装置を備える構成（第４−９の構成）である。
【００４８】
また、本明細書中に開示されている車両のうち、第４の技術的特徴を備えた車両は、第４−９の構成の車載機器と、前記車載機器に電力を供給するバッテリを備える構成（第４−１０の構成）である。
【００４９】
＜第５の技術的特徴＞
本明細書中に開示されている電流モード制御型スイッチング電源装置のうち、第５の技術的特徴を備えた電流モード制御型スイッチング電源装置は、第１端が入力電圧の印加端に接続された第１スイッチと、第１端が前記第１スイッチの第２端に接続されて第２端が前記入力電圧よりも低い電圧の印加端に接続された第２スイッチと、前記第２スイッチを流れる電流を検出する電流検出部と、前記電流検出部によって検出された電流に応じて前記第１スイッチ及び前記第２スイッチを制御する制御部と、を備え、前記制御部は、前記第１スイッチがオフ状態である間の所定期間に前記電流検出部によって検出された電流の情報を蓄積する蓄積部と、前記蓄積部によって蓄積された電流の情報をスロープ電圧のオフセット電圧に反映させる反映部と、前記スロープ電圧のスロープの傾きを一定値にするための傾き設定部と、を有し、前記スロープ電圧に応じて前記第１スイッチ及び前記第２スイッチを制御する構成（第５−１の構成）である。
【００５０】
また上記第５−１の構成の電流モード制御型スイッチング電源装置において、前記所定期間が一定時間である構成（第５−２の構成）にするとよい。
【００５１】
また上記第５−１または第５−２の構成の電流モード制御型スイッチング電源装置において、前記反映部は、第１スイッチがオフからオンに切り替わる前に前記蓄積部によって蓄積された電流の情報の伝達を開始して前記蓄積部によって蓄積された電流の情報を前記スロープ電圧のオフセット電圧に反映させる構成（第５−３の構成）にするとよい。
【００５２】
また上記第５−１〜第５−３いずれかの構成の電流モード制御型スイッチング電源装置において、前記電流検出部は、前記第２スイッチを流れる電流に応じた電圧を電流に変換する電圧電流変換回路であって、前記蓄積部及び前記反映部は、前記電圧電流変換回路の出力電流を充電するコンデンサを共有する構成（第５−４の構成）にするとよい。
【００５３】
また上記第５−４の構成の電流モード制御型スイッチング電源装置において、前記傾き設定部が、定電流源と、前記定電流源から前記コンデンサに至る電流経路を導通／遮断するスロープ用スイッチと、を有する構成（第５−５の構成）にするとよい。
【００５４】
また上記第５−４または第５−５の構成の電流モード制御型スイッチング電源装置において、前記蓄積部は、前記電圧電流変換回路の出力端から前記コンデンサに至る電流経路を導通／遮断する充電用スイッチをさらに有する構成（第５−６の構成）にするとよい。
【００５５】
また上記第５−４〜第５−６いずれかの構成の電流モード制御型スイッチング電源装置において、前記蓄積部は、前記コンデンサを放電させて前記コンデンサの充電電圧をリセットするリセット部を有する構成（第５−７の構成）にするとよい。
【００５６】
また上記第５−１〜第５−７いずれかの構成の電流モード制御型スイッチング電源装置において、前記制御部は、前記出力電圧に応じた電圧と基準電圧との差分に応じた誤差信号を生成するエラーアンプと、前記スロープ電圧と前記誤差信号を比較して比較信号であるリセット信号を生成するコンパレータと、所定周波数のクロック信号であるセット信号を生成するオシレータと、前記セット信号と前記リセット信号に応じて前記第１スイッチのオン／オフ及び前記第２スイッチのオン／オフを制御するタイミング制御回路と、を有する構成（第５−８の構成）にするとよい。
【００５７】
また上記第５−１〜第５−８いずれかの構成の電流モード制御型スイッチング電源装置において、前記第２スイッチがＭＯＳトランジスタであって、前記電流検出部が前記ＭＯＳトランジスタのオン抵抗の両端電圧を用いて前記第２スイッチを流れる電流を検出する構成（第５−９の構成）にするとよい。
【００５８】
また、本明細書中に開示されている車載機器のうち、第５の技術的特徴を備えた車載機器は、第５−１〜第５−９いずれかの構成の電流モード制御型スイッチング電源装置を備える構成（第５−１０の構成）である。
【００５９】
また、本明細書中に開示されている車両のうち、第５の技術的特徴を備えた車両は、第５−１０の構成の車載機器と、前記車載機器に電力を供給するバッテリを備える構成（第５−１１の構成）である。
【発明の効果】
【００６０】
本明細書中に開示されている電流モード制御型スイッチング電源装置によれば、入力電圧に対する出力電圧の比が小さい場合でも電流帰還が可能となる。
【図面の簡単な説明】
【００６１】
【図１】スイッチング電源装置の第１実施形態の全体構成例を示す図
【図２】電流検出回路及びスロープ回路の一構成例を示す図
【図３Ａ】電圧電流変換回路４Ａの一構成例を示す図
【図３Ｂ】電圧電流変換回路５Ａの一構成例を示す図
【図４Ａ】スイッチング電源装置の一動作例を示すタイミングチャート
【図４Ｂ】図４Ａに示す動作例の変形例を示すタイミングチャート
【図５Ａ】スイッチング電源装置の他の動作例を示すタイミングチャート
【図５Ｂ】図５Ａに示す動作例の変形例を示すタイミングチャート
【図６Ａ】スイッチング電源装置の更に他の動作例を示すタイミングチャート
【図６Ｂ】図６Ａに示す動作例の変形例を示すタイミングチャート
【図７】電流情報をスロープの傾きに反映させたスロープ電圧の概略波形を示す図
【図８】電流情報をスロープのオフセット電圧に反映させたスロープ電圧の概略波形を示す図
【図９】電流検出回路及びスロープ回路の他の構成例を示す図
【図１０】スイッチング電源装置の更に他の動作例を示すタイミングチャート
【図１１】スイッチング電源装置の第２実施形態の全体構成例を示す図
【図１２Ａ】入力電圧に対する出力電圧の比に関する判断例を示すタイミングチャート
【図１２Ｂ】入力電圧に対する出力電圧の比に関する他の判断例を示すタイミングチャート
【図１３】車載機器を搭載した車両の一構成例を示す外観図
【図１４】電流モード制御型スイッチング電源装置の従来例を示す図
【図１５】従来例のスイッチング電源装置の一動作例を示すタイミングチャート
【発明を実施するための形態】
【００６２】
＜全体構成（第１実施形態）＞
図１は、電流モード制御型スイッチング電源装置の第１実施形態の全体構成例を示す図である。本構成例のスイッチング電源装置１０１は、入力電圧を降圧する降圧動作を行う電流モード制御型スイッチング電源装置であって、タイミング制御回路１と、上側ＭＯＳトランジスタＱ１と、下側ＭＯＳトランジスタＱ２と、インダクタＬ１と、出力コンデンサＣ１と、分圧抵抗Ｒ１及びＲ２と、エラーアンプ２と、基準電圧源３と、電流検出回路４と、スロープ回路５と、コンパレータ６と、オシレータ７と、を備える。
【００６３】
タイミング制御回路１は、上側ＭＯＳトランジスタＱ１のオン／オフ及び下側ＭＯＳトランジスタＱ２のオン／オフを制御し、セット信号ＳＥＴとリセット信号ＲＥＳＥＴに応じて上側ＭＯＳトランジスタＱ１のゲート信号Ｇ１及び下側ＭＯＳトランジスタＱ２のゲート信号Ｇ２を生成する。
【００６４】
上側ＭＯＳトランジスタＱ１は、Ｎチャネル型ＭＯＳトランジスタであって、入力電圧ＶＩＮが印加されている入力電圧印加端からインダクタＬ１に至る電流経路を導通／遮断する上側スイッチの一例である。上側ＭＯＳトランジスタＱ１のドレインは、入力電圧ＶＩＮが印加されている入力電圧印加端に接続されている。上側ＭＯＳトランジスタＱ１のソースは、インダクタの一端及び下側ＭＯＳトランジスタＱ２のドレインに接続されている。上側ＭＯＳトランジスタＱ１のゲートには、タイミング制御回路１からゲート信号Ｇ１が供給される。上側ＭＯＳトランジスタＱ１は、ゲート信号Ｇ１がハイレベルであるときにオンとなり、ゲート信号Ｇ１がローレベルであるときにオフとなる。
【００６５】
下側ＭＯＳトランジスタＱ２は、Ｎチャネル型ＭＯＳトランジスタであって、接地端からインダクタＬ１に至る電流経路を導通／遮断する下側スイッチの一例である。下側ＭＯＳトランジスタＱ２のドレインは、上述の通りインダクタの一端及び上側ＭＯＳトランジスタＱ１のソースに接続されている。下側ＭＯＳトランジスタＱ２のソースは、接地端に接続されている。下側ＭＯＳトランジスタＱ２のゲートには、タイミング制御回路１からゲート信号Ｇ２が供給される。下側ＭＯＳトランジスタＱ２は、ゲート信号Ｇ２がハイレベルであるときにオンとなり、ゲート信号Ｇ２がローレベルであるときにオフとなる。なお、下側ＭＯＳトランジスタＱ２の代わりにダイオードを下側スイッチとして用いることができるが、この場合は当該ダイオードに直列接続されるセンス抵抗を設け、電流検出回路４が当該センス抵抗の両端電圧を検出する必要がある。
【００６６】
上側ＭＯＳトランジスタＱ１と下側ＭＯＳトランジスタＱ２は、タイミング制御回路１の制御により、相補的にオン／オフする。これにより、上側ＭＯＳトランジスタＱ１と下側ＭＯＳトランジスタＱ２の接続ノードにパルス状のスイッチ電圧ＶＳＷが生成される。なお、上側ＭＯＳトランジスタＱ１と下側ＭＯＳトランジスタＱ２のオン／オフ切り替わり時には、上側ＭＯＳトランジスタＱ１と下側ＭＯＳトランジスタＱ２の双方がオフになるデッドタイムを設けることが好ましい。
【００６７】
インダクタＬ１及び出力コンデンサＣ１は、パルス状のスイッチ電圧ＶＳＷを平滑化して出力電圧ＶＯＵＴを生成し、その出力電圧ＶＯＵＴを出力電圧ＶＯＵＴの印加端に供給する。
【００６８】
分圧抵抗Ｒ１及びＲ２は、出力電圧ＶＯＵＴを分圧して帰還電圧ＶＦＢを生成する。
【００６９】
エラーアンプ２は、帰還電圧ＶＦＢと、基準電圧源３から出力される基準電圧との差分に応じた誤差信号ＶＥＲＲを生成する。
【００７０】
電流検出回路４は、下側ＭＯＳトランジスタＱ２のオン状態におけるドレイン−ソース間電圧すなわち下側ＭＯＳトランジスタＱ２のオン抵抗の両端電圧に基づいて、下側ＭＯＳトランジスタＱ２を流れる電流を検出する。
【００７１】
スロープ回路５は、電流検出回路４によって検出された下側ＭＯＳトランジスタＱ２を流れる電流に応じたスロープ電圧を生成して出力する。
【００７２】
コンパレータ６は、スロープ回路５の出力電圧と誤差信号ＶＥＲＲを比較して比較信号であるリセット信号ＲＥＳＥＴを生成する。スロープ回路５によって生成されるスロープ電圧ＶＳＬＰが固定周期であるため、リセット信号ＲＥＳＥＴはＰＷＭ［pulse width modulation］信号となる。
【００７３】
オシレータ７は、所定周波数のクロック信号であるセット信号ＳＥＴを生成する。
【００７４】
＜スロープ電圧の第１生成例＞
図２は、電流検出回路４及びスロープ回路５の一構成例を示す図である。図２に示す例において電流検出回路４は、電圧電流変換回路４Ａによって構成される。また図２に示す例においてスロープ回路５は、スイッチＳ１〜Ｓ３と、コンデンサＣ２及びＣ３と、電圧電流変換回路５Ａによって構成される。
【００７５】
電圧電流変換回路４Ａ及び５Ａそれぞれは、タイミング制御回路１と、エラーアンプ２と、基準電圧源３と、電流検出回路４と、スロープ回路５と、コンパレータ６と、オシレータ７と、を備えるＩＣ［integrated circuit］内部で生成される内部電源電圧ＶＣＣによって駆動する回路である。
【００７６】
電圧電流変換回路４Ａは下側ＭＯＳトランジスタＱ２のドレイン−ソース間電圧を電流に変換して出力する。スイッチＳ１がオンのとき電圧電流変換回路４Ａの出力電流によってコンデンサＣ２が充電される。一方、スイッチＳ２がオンのときコンデンサＣ２は放電する。
【００７７】
電圧電流変換回路５ＡはコンデンサＣ２の充電電圧ＶＣＲＧを電流に変換して出力する。電圧電流変換回路５Ａの出力電流によってコンデンサＣ３が充電される。一方、スイッチＳ３がオンのときコンデンサＣ３は放電する。コンデンサＣ３の充電電圧がスロープ電圧ＶＳＬＰとなる。
【００７８】
図３Ａ及び図３Ｂは、電圧電流変換回路４Ａ及び５Ａそれぞれの一構成例を示す図である。図３Ａに示す電圧電流変換回路では、電流源８が、Ｎチャネル型ＭＯＳトランジスタＱ３及びＱ４からなるカレントミラー回路に電流を供給する。Ｎチャネル型ＭＯＳトランジスタＱ３及びＱ４からなるカレントミラー回路のミラー比が１：１であれば、抵抗Ｒ４を流れる電流はスイッチ電圧Ｖｓｗを抵抗Ｒ３の抵抗値ｒ３と抵抗Ｒ４の抵抗値ｒ４の差（ｒ３−ｒ４）で除した値となる。そして、Ｐチャネル型ＭＯＳトランジスタＱ５及びＱ６からなるカレントミラー回路によって、抵抗Ｒ４を流れる電流に応じた電流（電圧電流変換回路４Ａの入力電圧であるスイッチ電圧Ｖｓｗに応じた電流）が電圧電流変換回路４Ａの出力電流として掃き出される。図３Ｂに示す電圧電流変換回路では、抵抗Ｒ５とＰＮＰトランジスタＱ７の直列回路により電圧電流変換回路の入力電圧に応じた電流が抵抗Ｒ５を流れ、抵抗Ｒ５とＰＮＰトランジスタＱ７の接続ノードに電圧電流変換回路の入力電圧に応じた電圧が生成される。さらに、ＮＰＮトランジスタＱ８と抵抗Ｒ６の直列回路により抵抗Ｒ５とＰＮＰトランジスタＱ７の接続ノード電圧（電圧電流変換回路の入力電圧に応じた電圧）に応じた電流が抵抗Ｒ６を流れる。そして、Ｐチャネル型ＭＯＳトランジスタＱ９及びＱ１０からなるカレントミラー回路によって、抵抗Ｒ６を流れる電流に応じた電流（電圧電流変換回路５Ａの入力電圧Ｖに応じた電流）が電圧電流変換回路の出力電流として掃き出される。
【００７９】
図４Ａは、スイッチング電源装置１０１の一動作例を示すタイミングチャートである。
【００８０】
図４Ａに示す例では、タイミング制御回路１は、セット信号ＳＥＴのローレベルからハイレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替える。スロープ回路５は、タイミング制御回路１からの指示に従って、スイッチＳ１〜Ｓ３のオン／オフを切り替える。
【００８１】
リセット信号ＲＥＳＥＴのローレベルからハイレベルへの切り替わり時に（ｔ１１のタイミングで）、スロープ回路５は、スイッチＳ１のオフ状態を維持し、スイッチＳ２をオフ状態からオン状態に切り替え、スイッチＳ３をオフ状態からオン状態に切り替える。これにより、コンデンサＣ２及びＣ３は放電され、コンデンサＣ２の充電電圧ＶＣＲＧ、スロープ電圧ＶＳＬＰはそれぞれ０になる。
【００８２】
それからスロープ回路５がスイッチＳ２をオン状態からオフ状態に切り替えてコンデンサＣ２の放電を終了した後、ｔ１２のタイミングでスロープ回路５はスイッチＳ１をオフ状態からオン状態に切り替える。ｔ１２のタイミングは例えば上側ＭＯＳトランジスタＱ１がオンからオフに切り替わった直後に設けられるデッドタイムの終了時とすることができる。
【００８３】
次に、ｔ１３のタイミングでスロープ回路５はスイッチＳ１をオン状態からオフ状態に切り替える。ｔ１３のタイミングは例えば下側ＭＯＳトランジスタＱ２がオンからオフに切り替わった直後に設けられるデッドタイムの開始時とすることができる。
【００８４】
ｔ１２のタイミングからｔ１３のタイミングまでの期間、電圧電流変換回路４ＡからコンデンサＣ２に至る電流経路をスイッチＳ１が導通するので、下側ＭＯＳトランジスタＱ２を流れる電流の情報が充電電圧ＶＣＲＧの形で蓄積される。
【００８５】
その後、セット信号ＳＥＴのローレベルからハイレベルへの切り替わり時に（ｔ１４のタイミングで）、スロープ回路５はスイッチＳ３をオン状態からオフ状態に切り替える。ｔ１４のタイミングから次のｔ１１のタイミングまでの期間（上側ＭＯＳトランジスタＱ１がオンになっている期間）において、電圧電流変換回路５Ａの出力電流によってコンデンサＣ３が充電されるので、ｔ１２のタイミングからｔ１３のタイミングまでの期間に下側ＭＯＳトランジスタＱ２を流れていた電流の情報が伝達されてスロープ電圧ＶＳＬＰに反映される。
【００８６】
スイッチング電源装置１０１によれば、電流帰還部分がスイッチ電圧ＶＳＷと接地電圧との差（ＶＳＷ−ＧＮＤ）に相当する。したがって、スロープ電圧の本生成例のように、電流検出回路４及びスロープ回路５の双方を内部電源電圧ＶＣＣ基準で動作させることができるので、電流検出回路４からスロープ回路５に電流情報を伝達する際に生じ得る遅延時間を短くすることができる。
【００８７】
またスロープ電圧の本生成例では、ｔ１２のタイミングからｔ１３のタイミングまでの期間に下側ＭＯＳトランジスタＱ２を流れる電流の情報が充電電圧ＶＣＲＧの形で蓄積されるので、スイッチ電圧ＶＳＷの立ち上がりなどにノイズがのっても、そのノイズがｔ１２のタイミングからｔ１３のタイミングまでの期間で平均化されることになる。すなわち、スロープ電圧ＶＳＬＰに伝達されて反映される単位時間当たりのノイズ量を小さくすることができる。
【００８８】
したがって、スロープ電圧の本生成例によれば、入力電圧ＶＩＮに対する出力電圧ＶＯＵＴの比が小さい場合（スイッチ電圧ＶＳＷのパルス幅が細い場合）でも電流帰還が可能となる。
【００８９】
なお、電流モード制御の制御系を安定させる観点から、スロープ回路５に重畳部を設け、当該重畳部が、一定の傾きでｔ１４のタイミングからｔ１１のタイミングまでの期間上昇する鋸波形状または三角波形状の疑似スロープ電圧ＶＳをスロープ電圧ＶＳＬＰに重畳した電圧（新たなスロープ電圧ＶＳＬＰ’）を生成し、その新たなスロープ電圧ＶＳＬＰ’をスロープ回路５の出力電圧として出力することが望ましい。この場合、図４Ｂに示すように、スロープ電圧ＶＳＬＰ’が誤差信号ＶＥＲＲを超えると、リセット信号ＲＥＳＥＴがローレベルからハイレベルに切り替わることになる。
【００９０】
＜スロープ電圧の第２生成例＞
電流検出回路４及びスロープ回路５の構成は、上述したスロープ電圧の第１生成例と同様である。
【００９１】
図５Ａは、スイッチング電源装置１０１の他の動作例を示すタイミングチャートである。
【００９２】
図５Ａに示す例では、タイミング制御回路１は、セット信号ＳＥＴのハイレベルからローレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替える。スロープ回路５は、タイミング制御回路１からの指示に従って、スイッチＳ１〜Ｓ３のオン／オフを切り替える。
【００９３】
リセット信号ＲＥＳＥＴのローレベルからハイレベルへの切り替わり時に（ｔ２１のタイミングで）、スロープ回路５は、スイッチＳ１のオフ状態を維持し、スイッチＳ２をオフ状態からオン状態に切り替え、スイッチＳ３をオフ状態からオン状態に切り替える。これにより、コンデンサＣ２及びＣ３は放電され、コンデンサＣ２の充電電圧ＶＣＲＧ、スロープ電圧ＶＳＬＰはそれぞれ０になる。
【００９４】
それからスロープ回路５がスイッチＳ２をオン状態からオフ状態に切り替えてコンデンサＣ２の放電を終了した後、ｔ２２のタイミングでスロープ回路５はスイッチＳ１をオフ状態からオン状態に切り替える。ｔ２２のタイミングは例えば上側ＭＯＳトランジスタＱ１がオンからオフに切り替わった直後に設けられるデッドタイムの終了時とすることができる。
【００９５】
次に、ｔ２３のタイミングでスロープ回路５はスイッチＳ１をオン状態からオフ状態に切り替える。ｔ２３のタイミングは例えば下側ＭＯＳトランジスタＱ２がオンからオフに切り替わった直後に設けられるデッドタイムの開始時とすることができる。
【００９６】
ｔ２２のタイミングからｔ２３のタイミングまでの期間、電圧電流変換回路４ＡからコンデンサＣ２に至る電流経路をスイッチＳ１が導通するので、下側ＭＯＳトランジスタＱ２を流れる電流の情報が充電電圧ＶＣＲＧの形で蓄積される。
【００９７】
その後、セット信号ＳＥＴのローレベルからハイレベルへの切り替わり時に（ｔ２４のタイミングで）、スロープ回路５はスイッチＳ３をオン状態からオフ状態に切り替える。ｔ２４のタイミングから次のｔ２１のタイミングまでの期間において、電圧電流変換回路５Ａの出力電流によってコンデンサＣ３が充電されるので、ｔ２２のタイミングからｔ２３のタイミングまでの期間に下側ＭＯＳトランジスタＱ２を流れていた電流の情報が伝達されてスロープ電圧ＶＳＬＰに反映される。
【００９８】
上述したスロープ電圧の第１生成例では、上側ＭＯＳトランジスタＱ１がオフからオンに切り替わると同時に、下側ＭＯＳトランジスタＱ２を流れる電流の情報の伝達を開始してスロープ電圧ＶＳＬＰに反映している。これに対して、スロープ電圧の本生成例では、上側ＭＯＳトランジスタＱ１がオフからオンに切り替わる前に、下側ＭＯＳトランジスタＱ２を流れる電流の情報の伝達を開始してスロープ電圧ＶＳＬＰに反映している。したがって、スロープ電圧の本生成例は、電流帰還が可能となるスイッチ電圧ＶＳＷの最小パルス幅を、上述したスロープ電圧の第１生成例よりも細くすることができる。
【００９９】
なお、電流モード制御の制御系を安定させる観点から、スロープ回路５に重畳部を設け、当該重畳部が、一定の傾きでｔ２４のタイミングからｔ２１のタイミングまでの期間上昇する鋸波形状または三角波形状の疑似スロープ電圧ＶＳをスロープ電圧ＶＳＬＰに重畳した電圧（新たなスロープ電圧ＶＳＬＰ’）を生成し、その新たなスロープ電圧ＶＳＬＰ’をスロープ回路５の出力電圧として出力することが望ましい。この場合、図５Ｂに示すように、スロープ電圧ＶＳＬＰ’が誤差信号ＶＥＲＲを超えると、リセット信号ＲＥＳＥＴがローレベルからハイレベルに切り替わることになる。
【０１００】
＜スロープ電圧の第３生成例＞
電流検出回路４及びスロープ回路５の構成は、上述したスロープ電圧の第１生成例及び第２生成例と同様である。
【０１０１】
図６Ａは、スイッチング電源装置１０１の更に他の動作例を示すタイミングチャートである。
【０１０２】
図６Ａに示す例では、タイミング制御回路１は、セット信号ＳＥＴのハイレベルからローレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替える。
【０１０３】
また、タイミング制御回路１は、セット信号ＳＥＴに基づいて、セット信号ＳＥＴのローレベルからハイレベルへの切り替わり時にローレベルからハイレベルへ切り替わり、セット信号ＳＥＴのハイレベル期間より短いハイレベル期間を有する内部クロック信号ＣＬＫを内部で生成する。なお、内部クロック信号ＣＬＫの各ハイレベル期間は一定時間であり、スロープ電圧の第３生成例において電流帰還の実施期間となる。なお、下側ＭＯＳトランジスタＱ２がオンからオフに切り替わった直後に設けられるデッドタイムの開始前に、内部クロック信号ＣＬＫがハイレベルからローレベルに切り替わるように、内部クロック信号ＣＬＫの各ハイレベル期間を調整するとよい。
【０１０４】
さらに、タイミング制御回路１は、内部クロック信号ＣＬＫのローレベルからハイレベルへの切り替わり時に、リセット信号ＲＥＳＥＴのレベル遷移状態にかかわらず、強制的にゲート信号Ｇ１をローベル、ゲート信号Ｇ２をハイレベルにする。これにより、内部クロック信号ＣＬＫのローレベルからハイレベルへの切り替わり時に、確実に電流帰還を開始することができる。
【０１０５】
スロープ回路５は、タイミング制御回路１からの指示に従って、スイッチＳ１〜Ｓ３のオン／オフを切り替える。  
【０１０６】
リセット信号ＲＥＳＥＴのローレベルからハイレベルへの切り替わり時に（ｔ３１のタイミングで）、スロープ回路５は、スイッチＳ１のオフ状態を維持し、スイッチＳ２をオフ状態からオン状態に切り替え、スイッチＳ３をオフ状態からオン状態に切り替える。これにより、コンデンサＣ２及びＣ３は放電され、コンデンサＣ２の充電電圧ＶＣＲＧ、スロープ電圧ＶＳＬＰはそれぞれ０になる。
【０１０７】
それからスロープ回路５がスイッチＳ２をオン状態からオフ状態に切り替えてコンデンサＣ２の放電を終了した後、内部クロック信号ＣＬＫのローレベルからハイレベルへの切り替わり時に（ｔ３２のタイミングで）、スロープ回路５はスイッチＳ１をオフ状態からオン状態に切り替える。
【０１０８】
次に、内部クロック信号ＣＬＫのハイレベルからローレベルへの切り替わり時に（ｔ３３のタイミングで）、スロープ回路５はスイッチＳ１をオン状態からオフ状態に切り替える。
【０１０９】
ｔ３２のタイミングからｔ３３のタイミングまでの期間、すなわちセット信号ＳＥＴのハイレベル期間内に設けられた一定時間、電圧電流変換回路４ＡからコンデンサＣ２に至る電流経路をスイッチＳ１が導通するので、電圧電流変換回路４Ａが下側ＭＯＳトランジスタＱ２を流れる電流を検出し、下側ＭＯＳトランジスタＱ２を流れる電流の情報が充電電圧ＶＣＲＧの形で蓄積される。
【０１１０】
その後、ｔ３４のタイミングでスロープ回路５はスイッチＳ３をオン状態からオフ状態に切り替える。ｔ３４のタイミングは例えば下側ＭＯＳトランジスタＱ２がオンからオフに切り替わった直後に設けられるデッドタイムの開始時とすることができる。ｔ３４のタイミングから次のｔ３１のタイミングまでの期間において、電圧電流変換回路５Ａの出力電流によってコンデンサＣ３が充電されるので、ｔ３２のタイミングからｔ３３のタイミングまでの期間に下側ＭＯＳトランジスタＱ２を流れていた電流の情報が伝達されてスロープ電圧ＶＳＬＰに反映される。
【０１１１】
上述したスロープ電圧の第１生成例及び第２生成例では、スイッチＳ１のオン期間が上側ＭＯＳトランジスタＱ１のオン期間に依存した期間になっているため、スイッチＳ１のオン期間がスイッチング電源装置１０１の入力電圧ＶＩＮに対する出力電圧ＶＯＵＴの比に依存して変動してしまい、電流モード制御の制御系が不安定になる傾向にある。これに対して、スロープ電圧の本生成例では、スイッチＳ１のオン期間を一定期間にしているため、電流モード制御の制御系が安定する。
【０１１２】
また、スロープ電圧の本生成例では、上述した上述したスロープ電圧の第２生成例と同様に、上側ＭＯＳトランジスタＱ１がオフからオンに切り替わる前に、下側ＭＯＳトランジスタＱ２を流れる電流の情報の伝達を開始してスロープ電圧ＶＳＬＰに反映している。したがって、スロープ電圧の本生成例は、電流帰還が可能となるスイッチ電圧ＶＳＷの最小幅を、上述したスロープ電圧の第１生成例よりも細くすることができる。
【０１１３】
なお、電流帰還が可能となるスイッチ電圧ＶＳＷの最小パルス幅は上述したスロープ電圧の第１生成例と同等になってしまうが、スロープ電圧の本生成例において、上側ＭＯＳトランジスタＱ１がオフからオンに切り替わった時点から、下側ＭＯＳトランジスタＱ２を流れる電流の情報をスロープ電圧ＶＳＬＰの伝達を開始するような変形を施すこともできる。
【０１１４】
なお、電流モード制御の制御系をより一層安定させる観点から、スロープ回路５に重畳部を設け、当該重畳部が、一定の傾きでｔ３４のタイミングからｔ３１のタイミングまでの期間上昇する鋸波形状または三角波形状の疑似スロープ電圧ＶＳをスロープ電圧ＶＳＬＰに重畳した電圧（新たなスロープ電圧ＶＳＬＰ’）を生成し、その新たなスロープ電圧ＶＳＬＰ’をスロープ回路５の出力電圧として出力することが望ましい。この場合、図６Ｂに示すように、スロープ電圧ＶＳＬＰ’が誤差信号ＶＥＲＲを超えると、リセット信号ＲＥＳＥＴがローレベルからハイレベルに切り替わることになる。
【０１１５】
＜スロープ電圧の第４生成例＞
上述したスロープ電圧の第１〜第３生成例では、図７に示すように電流情報をスロープの傾きに反映させたスロープ電圧を生成するのに対し、本生成例では、図８に示すように電流情報をスロープのオフセット電圧に反映させたスロープ電圧を生成する。
【０１１６】
上述したスロープ電圧の第１〜第３生成例を採用した場合、制御系の伝達特性（閉ループ伝達関数）が入力電圧ＶＩＮ及び出力負荷（出力電圧ＶＯＵＴの印加端に接続される負荷）に依存するため使用条件が制限されるのに対して、本生成例を採用した場合、制御系の伝達特性（閉ループ伝達関数）が入力電圧ＶＩＮ及び出力負荷に依存しないため使用条件が制限されないという利点がある。
【０１１７】
以下、上述した制御系の伝達特性と入力電圧ＶＩＮ及び出力負荷との関係について詳細に説明する。
【０１１８】
（スロープ電圧の第１〜第３生成例を採用した場合）
上側ＭＯＳトランジスタＱ１のオンデューティＤと、エラーアンプ２から出力される誤差信号ＶＥＲＲの値ＶＣとの間には、下記（１）式の関係が成立する。なお、ＳＥは疑似スロープ電圧ＶＳのスロープの傾き（固定値）であり、ＳＮは下側ＭＯＳトランジスタＱ２を流れる電流の情報が反映されたスロープの傾きであり、ＴはＤの最大値が１となるための係数である。
【数１】
2018088829.tif 000003
【０１１９】
ここで、エラーアンプ２から出力される誤差信号ＶＥＲＲの値ＶＣがΔＶＣ変動したときに、上側ＭＯＳトランジスタＱ１のオンデューティＤがΔＤ変動するため、下記（２）式が成立する。なお、ＳＮ’は下側ＭＯＳトランジスタＱ２を流れる電流の情報が反映されたスロープの傾きである。
【数２】
2018088829.tif 000004
【０１２０】
上記（１）式及び（２）式により、ΔＤは下記（３）式で表される。
【数３】
2018088829.tif 000005
【０１２１】
ここで、ＳＮは下記（４）式で表されるので、下記（５）式が成立する。なお、ｔＰは、下側ＭＯＳトランジスタＱ２を流れる電流の情報の蓄積時間であり、ＩＯＵＴは、出力負荷に供給される出力電流であり、エラーアンプ２から出力される誤差信号ＶＥＲＲの値ＶＣがΔＶＣ変動したときに、出力電流ＩＯＵＴがΔＩＯＵＴ変動する。
【数４】
2018088829.tif 000006
【数５】
2018088829.tif 000007
【０１２２】
ここで、ΔＩは下記（６）式で表され、ΔＶＯＵＴは下記（７）式で表される。なお、ＧＤＶ（Ｓ）はスイッチ電圧ＶＳＷを出力電圧ＶＯＵＴに整形するためのパラメータである。
【数６】
2018088829.tif 000008
【数７】
2018088829.tif 000009
【０１２３】
上記（６）式及び（７）式を、上記（３）式及び（５）式に代入して整理すると、下記（８）式が求まる。
【数８】
2018088829.tif 000010
【０１２４】
ΔＶＣに対するΔＶＯＵＴの比は、上記（８）を用いると、下記（９）式で表される。
【数９】
2018088829.tif 000011
【０１２５】
上記（９）式より、入力電圧ＶＩＮが大きくなると、電圧利得が大きくなり、出力電流ＩＯＵＴが大きくなると、ＧＤＶ（Ｓ）が分母と分子でキャンセルしにくくなるため電流帰還しにくくなる。すなわち、制御系の伝達特性（閉ループ伝達関数）が入力電圧ＶＩＮ及び出力負荷に依存している。
【０１２６】
（スロープ電圧の本生成例を採用した場合）
スロープ電圧の第１〜第３生成例を採用した場合と同様に、制御系の伝達特性を考えると、下記（１０）式により、下記（１２）式が求まる。なお、ＲＳは、電流情報をオフセット電圧としてどの程度強くスロープ電圧にのせるかを示すパラメータであり、下記（１１）式で表される。
【数１０】
2018088829.tif 000012
【数１１】
2018088829.tif 000013
【数１２】
2018088829.tif 000014
【０１２７】
このとき、下記（１３）式の条件を設定すると、下記（１４）式が成立する。
【数１３】
2018088829.tif 000015
【数１４】
2018088829.tif 000016
【０１２８】
上記（１４）式より、制御系の伝達特性（閉ループ伝達関数）が入力電圧ＶＩＮ及び出力負荷に依存していないことが分かる。
【０１２９】
（本生成例の詳細）
次に、本生成例の詳細を説明する。電流検出回路４及びスロープ回路５は図９に示す構成であり、スイッチング電源装置１０１は図１０に示すように動作する。
【０１３０】
図９に示す例において電流検出回路４は、電圧電流変換回路４Ａによって構成される。また図９に示す例においてスロープ回路５は、スイッチＳ１、Ｓ２、及びＳ４と、コンデンサＣ２と、定電流源９によって構成される。なお、定電流源９から出力される定電流の値は調整可能であることが望ましい。
【０１３１】
電圧電流変換回路４Ａ及び定電流源９それぞれは、タイミング制御回路１と、エラーアンプ２と、基準電圧源３と、電流検出回路４と、スロープ回路５と、コンパレータ６と、オシレータ７と、を備えるＩＣ［integrated circuit］内部で生成される内部電源電圧ＶＣＣによって駆動する回路である。
【０１３２】
電圧電流変換回路４Ａは下側ＭＯＳトランジスタＱ２のドレイン−ソース間電圧を電流に変換して出力する。コンデンサＣ２は、スイッチＳ１がオンのとき電圧電流変換回路４Ａの出力電流によって充電され、スイッチＳ４がオンのとき定電流源９の出力電流によって充電される。一方、スイッチＳ２がオンのときコンデンサＣ２は放電する。コンデンサＣ２の充電電圧がスロープ電圧ＶＳＬＰとなる。
【０１３３】
図１０に示す例では、タイミング制御回路１は、セット信号ＳＥＴのハイレベルからローレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替える。
【０１３４】
また、タイミング制御回路１は、セット信号ＳＥＴに基づいて、セット信号ＳＥＴのローレベルからハイレベルへの切り替わり時にローレベルからハイレベルへ切り替わり、セット信号ＳＥＴのハイレベル期間より短いハイレベル期間を有する内部クロック信号ＣＬＫを内部で生成する。なお、内部クロック信号ＣＬＫの各ハイレベル期間は一定時間であり、スロープ電圧の第４生成例において電流帰還の実施期間となる。なお、下側ＭＯＳトランジスタＱ２がオンからオフに切り替わった直後に設けられるデッドタイムの開始前に、内部クロック信号ＣＬＫがハイレベルからローレベルに切り替わるように、内部クロック信号ＣＬＫの各ハイレベル期間を調整するとよい。
【０１３５】
さらに、タイミング制御回路１は、内部クロック信号ＣＬＫのローレベルからハイレベルへの切り替わり時に、リセット信号ＲＥＳＥＴのレベル遷移状態にかかわらず、強制的にゲート信号Ｇ１をローベル、ゲート信号Ｇ２をハイレベルにする。これにより、内部クロック信号ＣＬＫのローレベルからハイレベルへの切り替わり時に、確実に電流帰還を開始することができる。
【０１３６】
スロープ回路５は、タイミング制御回路１からの指示に従って、スイッチＳ１、Ｓ２、及びＳ４のオン／オフを切り替える。  
【０１３７】
リセット信号ＲＥＳＥＴのローレベルからハイレベルへの切り替わり時に（ｔ４１のタイミングで）、スロープ回路５は、スイッチＳ１のオフ状態を維持し、スイッチＳ２をオフ状態からオン状態に切り替え、スイッチＳ４をオン状態からオフ状態に切り替える。これにより、コンデンサＣ２は放電され、コンデンサＣ２の充電電圧であるスロープ電圧ＶＳＬＰは０になる。
【０１３８】
それからスロープ回路５がスイッチＳ２をオン状態からオフ状態に切り替えてコンデンサＣ２の放電を終了した後、内部クロック信号ＣＬＫのローレベルからハイレベルへの切り替わり時に（ｔ４２のタイミングで）、スロープ回路５はスイッチＳ１をオフ状態からオン状態に切り替える。
【０１３９】
次に、内部クロック信号ＣＬＫのハイレベルからローレベルへの切り替わり時に（ｔ４３のタイミングで）、スロープ回路５はスイッチＳ１をオン状態からオフ状態に切り替える。
【０１４０】
ｔ４２のタイミングからｔ４３のタイミングまでの期間、電圧電流変換回路４ＡからコンデンサＣ２に至る電流経路をスイッチＳ１が導通するので、下側ＭＯＳトランジスタＱ２を流れる電流の情報がコンデンサＣ２の充電電圧の形で蓄積される。
【０１４１】
次に、セット信号ＳＥＴのハイレベルからローレベルへの切り替わり時に（ｔ４４のタイミングで）、スロープ回路５はスイッチＳ４をオフ状態からオン状態に切り替える。ｔ４４のタイミングから次のｔ４１のタイミングまでの期間において、定電流源９の出力電流によってコンデンサＣ２が充電される。これにより、コンデンサＣ２の充電電圧であるスロープ電圧ＶＳＬＰは、定電流源９の出力電流に応じた一定の増加率（定電流源９の出力電流に応じた一定の傾き）で増加する電圧を、下側ＭＯＳトランジスタＱ２を流れる電流の情報が反映されたオフセット電圧に重畳した電圧になる。そして、コンデンサＣ２の充電電圧であるスロープ電圧ＶＳＬＰが、スロープ回路５の出力信号となる。
【０１４２】
本生成例では、下側ＭＯＳトランジスタＱ２を流れる電流の情報をスロープのオフセット電圧に反映させたスロープ電圧ＶＳＬＰを生成するので、制御系の伝達特性（閉ループ伝達関数）が入力電圧ＶＩＮ及び出力負荷に依存しない。このためスイッチング電源装置１０１の使用条件が制限されない。
【０１４３】
また本生成例では、上述したスロープ電圧の第２生成例と同様、上側ＭＯＳトランジスタＱ１がオフからオンに切り替わる前に、下側ＭＯＳトランジスタＱ２を流れる電流の情報の伝達を開始してスロープ電圧ＶＳＬＰに反映している。したがって、スロープ電圧の本生成例は、電流帰還が可能となるスイッチ電圧ＶＳＷの最小パルス幅を、上述したスロープ電圧の第１生成例よりも細くすることができる。
【０１４４】
また本生成例では、上述したスロープ電圧の第３生成例と同様、スイッチＳ１のオン期間を一定期間にしているため、電流モード制御の制御系が安定する。
【０１４５】
＜全体構成（第２実施形態）＞
図１１は、電流モード制御型スイッチング電源装置の第２実施形態の全体構成例を示す図である。本構成例のスイッチング電源装置１０２は、スイッチング電源装置１０１に電流検出回路１０を追加した構成である。
【０１４６】
電流検出回路１０は、上側ＭＯＳトランジスタＱ１のオン状態におけるドレイン−ソース間電圧すなわち上側ＭＯＳトランジスタＱ１のオン抵抗の両端電圧に基づいて、上側ＭＯＳトランジスタＱ１を流れる電流を検出する。
【０１４７】
第１実施形態で既に説明したように、スロープ回路５が電流検出回路４によって検出された下側ＭＯＳトランジスタＱ２を流れる電流に応じたスロープ電圧を生成して出力することによって、入力電圧ＶＩＮに対する出力電圧ＶＯＵＴの比が小さい場合（スイッチ電圧ＶＳＷのパルス幅が細い場合）でも電流帰還が可能となる。しかしながら、スロープ回路５が電流検出回路４によって検出された下側ＭＯＳトランジスタＱ２を流れる電流に応じたスロープ電圧を生成して出力する態様では、スイッチ電圧ＶＳＷのパルス幅が太くなると、下側ＭＯＳトランジスタＱ２を流れる電流が検出可能な時間（下側ＭＯＳトランジスタＱ２がオンである時間）が短くなり、電流帰還ができなくなるおそれがある。これに対して、従来技術のように、上側ＭＯＳトランジスタＱ１を流れる電流に応じたスロープ電圧を生成して電流モード制御を行う態様では、スイッチ電圧ＶＳＷのパルス幅が太くなると、上側ＭＯＳトランジスタＱ１を流れる電流が検出可能な時間（上側ＭＯＳトランジスタＱ１がオンである時間）が長くなるので、電流帰還ができなくなるおそれがない。
【０１４８】
そこで、本実施形態におけるスロープ回路５は、タイミング制御回路１からの指示に従って、スイッチング電源装置１０２の入力電圧に対する出力電圧の比（ＶＯＵＴ／ＶＩＮ）が５０％以下である場合に、電流検出回路４によって検出された下側ＭＯＳトランジスタＱ２を流れる電流に応じたスロープ電圧を生成して出力し、ＶＯＵＴ／ＶＩＮが５０％以下でない場合に、電流検出回路１０によって検出された上側ＭＯＳトランジスタＱ１を流れる電流に応じたスロープ電圧を生成して出力する。これにより、スイッチ電圧ＶＳＷのパルス幅が細くなった場合だけでなく、スイッチ電圧ＶＳＷのパルス幅が太くなった場合でも、電流帰還が可能となる。
【０１４９】
電流検出回路４によって検出された下側ＭＯＳトランジスタＱ２を流れる電流に応じたスロープ電圧の生成は、例えば第１実施形態で既に説明した各生成例のいずれかと同様にすればよい。また、電流検出回路１０によって検出された上側ＭＯＳトランジスタＱ１を流れる電流に応じたスロープ電圧の生成は、公知技術であるため、その詳細な説明は割愛する。
【０１５０】
図１２Ａは、ＶＯＵＴ／ＶＩＮが５０％以下であるか否かの判断例を示すタイミングチャートである。当該判断は、セット信号ＳＥＴのローレベルからハイレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替えるタイミング制御回路１によって実行される。
【０１５１】
タイミング制御回路１はセット信号ＳＥＴに基づいて分周クロック信号ＤＩＶを生成する。分周クロック信号ＤＩＶは、セット信号ＳＥＴを２分周した信号であって、ローレベルからハイレベルへの切り替わりタイミングがセット信号ＳＥＴと一致する。
【０１５２】
また、タイミング制御回路１は、セット信号ＳＥＴ及び分周クロック信号ＤＩＶに基づいて検知クロック信号ＤＥＴを生成する。検知クロック信号ＤＥＴは、ローレベルからハイレベルへの切り替わりタイミングがセット信号ＳＥＴ及び分周クロック信号ＤＩＶと一致し、分周クロック信号ＤＩＶがローレベルからハイレベルに切り替わり且つセット信号ＳＥＴがローレベルからハイレベルに切り替わらないタイミングでハイレベルからローレベルに切り替わる。
【０１５３】
そして、タイミング制御回路１は、検知クロック信号ＤＥＴのハイレベルからローレベルへの切り替わり時に、ゲート信号Ｇ１をハイレベルにしている場合（この場合スイッチ電圧ＶＳＷはハイレベルになる）にはＶＯＵＴ／ＶＩＮが５０％以下でないと判断し、ゲート信号Ｇ１をローレベルにしている場合（この場合スイッチ電圧ＶＳＷはローレベルになる）にはＶＯＵＴ／ＶＩＮが５０％以下であると判断する。
【０１５４】
図１２Ｂは、ＶＯＵＴ／ＶＩＮが５０％以下であるか否かの他の判断例を示すタイミングチャートである。当該判断は、セット信号ＳＥＴのハイレベルからローレベルへの切り替わり時にゲート信号Ｇ１をローレベルからハイレベルに切り替え、リセット信号ＲＥＳＥＴのローレベルからハイレベルへの切り替わり時にゲート信号Ｇ１をハイレベルからローレベルに切り替えるタイミング制御回路１によって実行される。
【０１５５】
タイミング制御回路１はセット信号ＳＥＴに基づいて分周クロック信号ＤＩＶを生成する。分周クロック信号ＤＩＶは、セット信号ＳＥＴを２分周した信号であって、ハイレベルからローレベルへの切り替わりタイミングがセット信号ＳＥＴと一致する。
【０１５６】
また、タイミング制御回路１は、セット信号ＳＥＴ及び分周クロック信号ＤＩＶに基づいて検知クロック信号ＤＥＴを生成する。検知クロック信号ＤＥＴは、ローレベルからハイレベルへの切り替わりタイミングがセット信号ＳＥＴ及び分周クロック信号ＤＩＶのハイレベルからローレベルへの切り替わりタイミングと一致し、分周クロック信号ＤＩＶがハイレベルからローレベルに切り替わり且つセット信号ＳＥＴがハイレベルからローレベルに切り替わらないタイミングでハイレベルからローレベルに切り替わる。
【０１５７】
そして、タイミング制御回路１は、検知クロック信号ＤＥＴのハイレベルからローレベルへの切り替わり時に、ゲート信号Ｇ１をハイレベルにしている場合（この場合スイッチ電圧ＶＳＷはハイレベルになる）にはＶＯＵＴ／ＶＩＮが５０％以下でないと判断し、ゲート信号Ｇ１をローレベルにしている場合（この場合スイッチ電圧ＶＳＷはローレベルになる）にはＶＯＵＴ／ＶＩＮが５０％以下であると判断する。
【０１５８】
上記の説明では、ＶＯＵＴ／ＶＩＮが５０％以下である場合は、電流検出回路４によって検出された下側ＭＯＳトランジスタＱ２を流れる電流に応じたスロープ電圧がスロープ回路５から出力されたが、５０％は単なる一例であって他の値であっても構わない。
【０１５９】
また上記の説明では、ＶＯＵＴ／ＶＩＮが５０％以下でない場合は、電流検出回路１０によって検出された上側ＭＯＳトランジスタＱ１を流れる電流に応じたスロープ電圧がスロープ回路５から出力されたが、ＶＯＵＴ／ＶＩＮが所定値以下でない場合に電流モード制御を行わない構成にして、スイッチ電圧ＶＳＷのパルス幅が太くなったときに電流帰還ができなくなるおそれを回避してもよい。例えば、スロープ回路５が疑似スロープ電圧を生成するようにし、ＶＯＵＴ／ＶＩＮが所定値以下である場合に、電流検出回路４によって検出された下側ＭＯＳトランジスタＱ２を流れる電流に応じたスロープ電圧に疑似スロープ電圧を重畳した電圧（新たなスロープ電圧）がスロープ回路５の出力電圧としてスロープ回路５から出力され、ＶＯＵＴ／ＶＩＮが所定値以下でない場合に、疑似スロープ電圧がスロープ回路５の出力電圧としてスロープ回路５から出力されるようにすればよい。
【０１６０】
＜用途＞
次に、先に説明したスイッチング電源装置１０１の用途例について説明する。図１３は、車載機器を搭載した車両の一構成例を示す外観図である。本構成例の車両Ｘは、車載機器Ｘ１１〜Ｘ１７と、これらの車載機器Ｘ１１〜Ｘ１７に電力を供給するバッテリ（不図示）と、を搭載している。
【０１６１】
車載機器Ｘ１１は、エンジンに関連する制御（インジェクション制御、電子スロットル制御、アイドリング制御、酸素センサヒータ制御、及び、オートクルーズ制御など）を行うエンジンコントロールユニットである。
【０１６２】
車載機器Ｘ１２は、ＨＩＤ［high intensity discharged lamp］やＤＲＬ［daytime running lamp］などの点消灯制御を行うランプコントロールユニットである。
【０１６３】
車載機器Ｘ１３は、トランスミッションに関連する制御を行うトランスミッションコントロールユニットである。
【０１６４】
車載機器Ｘ１４は、車両Ｘの運動に関連する制御（ＡＢＳ［anti-lock brake system］制御、ＥＰＳ［electric power Steering］制御、電子サスペンション制御など）を行うボディコントロールユニットである。
【０１６５】
車載機器Ｘ１５は、ドアロックや防犯アラームなどの駆動制御を行うセキュリティコントロールユニットである。
【０１６６】
車載機器Ｘ１６は、ワイパー、電動ドアミラー、パワーウィンドウ、電動サンルーフ、電動シート、及び、エアコンなど、標準装備品やメーカーオプション品として、工場出荷段階で車両Ｘに組み込まれている電子機器である。
【０１６７】
車載機器Ｘ１７は、車載Ａ／Ｖ［audio/visual］機器、カーナビゲーションシステム、及び、ＥＴＣ［Electronic Toll Collection System］など、ユーザの任意で車両Ｘに装着される電子機器である。
【０１６８】
なお、先に説明したスイッチング電源装置１０１は、車載機器Ｘ１１〜Ｘ１７のいずれにも組み込むことが可能である。
【０１６９】
＜その他の変形例＞
なお、本発明の構成は、上記実施形態のほか、発明の主旨を逸脱しない範囲で種々の変更を加えることが可能である。
【０１７０】
例えば、上記実施形態では、降圧型スイッチング電源装置を例に挙げて説明を行ったが、本発明の適用対象はこれに限定されるものではなく、降圧動作のみならず昇圧動作も行える昇降圧型スイッチング電源装置に適用することも可能である。
【０１７１】
このように、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１７２】
本発明は、あらゆる分野（家電分野、自動車分野、産業機械分野など）で用いられる電流モード制御型スイッチング電源装置に利用することが可能である。
【符号の説明】
【０１７３】
１  タイミング制御回路
２  エラーアンプ
３  基準電圧源
４、１０  電流検出回路
４Ａ、５Ａ  電圧電流変換回路
５  スロープ回路
６  コンパレータ
７  オシレータ
８  電流源
９  定電流源
１０１、１０２  スイッチング電源装置
Ｃ１  出力コンデンサ
Ｃ２、Ｃ３  コンデンサ
Ｌ１  インダクタ
Ｑ１  上側ＭＯＳトランジスタ
Ｑ２  下側ＭＯＳトランジスタ
Ｑ３〜Ｑ１０  トランジスタ
Ｒ１、Ｒ２  分圧抵抗
Ｒ３〜Ｒ６  抵抗
Ｓ１〜Ｓ４  スイッチ
Ｘ  車両
Ｘ１１〜Ｘ１７  車載機器
【図１】
2018088829.tif 000017
【図２】
2018088829.tif 000018
【図３Ａ】
2018088829.tif 000019
【図３Ｂ】
2018088829.tif 000020
【図４Ａ】
2018088829.tif 000021
【図４Ｂ】
2018088829.tif 000022
【図５Ａ】
2018088829.tif 000023
【図５Ｂ】
2018088829.tif 000024
【図６Ａ】
2018088829.tif 000025
【図６Ｂ】
2018088829.tif 000026
【図７】
2018088829.tif 000027
【図８】
2018088829.tif 000028
【図９】
2018088829.tif 000029
【図１０】
2018088829.tif 000030
【図１１】
2018088829.tif 000031
【図１２Ａ】
2018088829.tif 000032
【図１２Ｂ】
2018088829.tif 000033
【図１３】
2018088829.tif 000034
【図１４】
2018088829.tif 000035
【図１５】
2018088829.tif 000036